(57)【要約】      （修正有）【課題】駐車禁止等を知らせる円錐状のセーフティコーンであり、視認性の向上を図る。【解決手段】セーフテイコーン１を透明または半透明の材質で製作し、点灯体５に付設のランプ１０を拡大レンズ１５を介して点灯する。また複数の点灯体を備え、点灯方式を選択可能として情報標識として使用可能とする。【選択図】        図１
2005068672.tif 000002
【特許請求の範囲】
【請求項１】
点灯体を備えるセーフティコーンであって、
前記点灯体に付設のランプを拡大レンズを介して点灯することを特徴とするセーフティコーン。
【請求項２】
点灯体を備えるセーフティコーンであって、
セーフティコーンを透明又は半透明の材質で製作し、
セーフティコーンの内部を点灯する内部ランプを備えることを特徴とするセーフティコーン。
【請求項３】
点灯体に付設のランプを拡大レンズを介して点灯することを特徴とする請求項２のセーフティコーン。
【請求項４】
複数の点灯体を備えるセーフティコーンであって、前記点灯体に付設のランプを点灯する点灯方式を選択可能であることを特徴とする請求項１から請求項３のいずれか１項のセーフティコーン。
【発明の詳細な説明】
【０００１】
【発明の属する技術分野】
本発明は、駐車を禁止したり、停車中である旨を知らせるために、道路端において使用する円錐状のセーフティコーンに関する。
【０００２】
【従来の技術】
セーフティコーンは、正方形の底板の上に、中空円錐状の本体（プラスチック又はゴム）で構成してあり、その本体の表面には、セーフティコーンの識別を強調するために、帯状又は傾斜状に色帯体が貼着してある。この色帯体は、単に、着色したプラスチックテープ又は、微細なガラスビーズを含有の再帰反射性プラスチックテープが使用される。
この色帯体は、セーフティコーンの円錐形本体表面に粘着材で貼着してあり、その厚み分だけ突出しているので、運搬、収納時にセーフティコーンを積み重ね、使用時に抜き出すことを繰り返すと剥がれることがある。そこで、この改良として特開２００２−１９４７１８号公報がある。
【０００３】
【特許文献１】
特開２００２−１９４７１８号公報
【０００４】
【発明が解決しようとする課題】
しかし、このセーフティコーンは、安全性を考慮すると、視認性の向上を図ると共に、簡便に製作する必要がある。
そこで、本発明は、係る課題を解消するセーフティコーンを提供する。
【０００５】
【課題を解決するための手段】
請求項１のセーフティコーンは、点灯体に付設のランプを拡大レンズを介して点灯するので、その光源を拡大或は拡散できるので、視認の向上を図ることができる。
又、請求項２のセーフティコーンは、セーフティコーンを透明又は半透明の材質で製作し、且つ、セーフティコーンの内部を点灯する内部ランプを備えることによって、セーフティコーンの姿態を認識可能であるので、視認の向上を図ることができる。
請求項３のセーフティコーンは、点灯体に付設のランプを拡大レンズを介して点灯することによって、セーフティコーンの姿態を認識可能であると共に、ランプの拡大によって、視認性の向上を図ることができる
請求項４のセーフティコーンは、複数の点灯体を備え、点灯体に付設のランプを点灯する点灯方式を複数有しているので、情報標識として使用可能である。
【０００６】
【発明の実施の形態】
図１（Ａ）はセーフティコーン１の全体図、図１（Ｂ）は断面図であり、図１（Ｃ）は外ランプの外形図と本体に取付けた状態の拡大断面図、図１（Ｄ）はセーフティコーン１の頂部体の外形図である。
セーフティコーン１は四角状の底板１ｂと、その底板１ｂの上に載置固定の円錐状の本体１ａで構成してあり、これらの部品は合成樹脂等で製作してある。
例えば、透明又は半透明のポリエチレン樹脂を使用して、厚み１ｍｍ、高さ７００ｍｍ、最下部の直径３６０ｍｍの円錐筒状に金型で成形し、更に、別途、底板１ｂも樹脂成形して本体１ａと底板１ｂを製作する。
そして、本体１ａの表面には、色変更を可能にするために、色帯体２、２ａが上下交互に貼着して縞模様を呈し、そのセーフティコーン１の視認性の向上を図っている。
【０００７】
又、本体１ａには後述の点灯体５を取り付ける孔が周囲４個、上下３段に渡って、合計１２個あけてある。
点灯体５（５ａ〜５ｃ）は、本体１２とランプ（ＬＥＤ等）１０等で構成してあり、本体１２の端部には、セーフティコーンの本体１ａにネジ止め或は接着剤で取り付けるフランジ６が形成してあると共に、本体１２の端部には拡大レンズ（又は拡散レンズ）１５が取り付けてある。
従って、前記ランプ（ＬＥＤ等）１０等は拡大レンズを通して見るの、視認性の向上を図ることができる。尚、ここでいう拡大レンズは、視認性の向上を図ることができる拡散レンズを含む概念である。
尚、前記ランプ１０は、本体１２の下部に装着のネジ式キャップ１１を介して取付け、取り外しが可能になっていて、このランプ１０には、後述の制御回路からのリード線が接続してある。
【０００８】
又、板状の付設体２０には、内部ランプ（ＬＥＤ等）２２が取り付けてあると共に、前記本体１２の外面に装着可能な挿入孔２０ａが形成してあり、この付設体２０は挿入孔２０ａを介して本体１２に取り付けてある。又、前記内部ランプは蓄電池３０に接続してあり、例えば、常時点灯し、セーフティコーン１の本体材質が半透明であるので、セーフティコーン１の全体を浮び上がらせる。
又、セーフティコーン１の頂部には、下向きに孔が形成してあり、この孔には松茸状の電池収納体３１が装着してある。尚、この電池収納体３１は傘部体３２と筒体３３で構成してあり、筒体３３内には回路基板（図示略）とランプ１０と内部ランプ２２用の蓄電池３０が収納してあると共に、後述の制御基板が収納してある。
【０００９】
次に、情報標識として使用可能にするために、点灯体５（５ａ〜５ｃ）に付設のランプ１０（１０ａ、１０ｂ、１０ｃ）の点灯方式について説明する。
尚、前記ランプ（ＬＥＤ）１０（１０ａ、１０ｂ、１０ｃ）の色は、赤の他、使用用途に関して適宜、色を選択する。
又、底板１ｂ上にはソーラパネル７が付設してあると共に、電源スイッチ８及び切替釦９が取り付けてある。前記ソーラパネル、電源スイッチ及び切替釦等で構成の制御基板１００には、図２（Ｂ）に示す制御回路が構成してあり、セーフティコーン１の本体１ａの頂部の電池収納体３１に収納してある。
この図２（Ｂ）に示す回路は、よく知られたものであり、ソーラパネル７の起電力はコントロール回路を介して蓄電池３０に充電される。一方、ランプ１０ａ、１０ｂ、１０ｃは、蓄電池３０を介して点灯（又は点滅）させるスイッチ回路に接続してあり、このスイッチ回路は制御回路で制御される。
【００１０】
前記制御回路はＣＰＵ、メモリ等で構成してあり、前記ランプ１０ａ、１０ｂ、１０ｃの点灯（点滅）の制御について図３〜図５を参照して説明する。
尚、情報標識として使用可能とするランプの点灯方式は３パターンとし、その切替は切替釦９を押す毎に切り替わる方式とする。
【００１１】
図３（Ａ）はメインフローであり、電源スイッチ８が入ると、パターン変数ｉに１をセット（初期化）すると共に、タイマーＴを−１にセットする（Ｓ１）。次に、順次、後記で詳述するＳＵＢ（Ｈ）、ＳＵＢ（Ａ）、ＳＵＢ（Ｂ）、ＳＵＢ（Ｃ）を実行する（Ｓ２〜Ｓ５）。
【００１２】
ＳＵＢ（Ｈ）（図３（Ｂ））は、パターンを選択処理するものでパターン変数ｉを決定する。そこで、切替釦９が押されたかを判断し（Ｓ１０）、押されたときにはパターン変数ｉに１を加算し（Ｓ１１）、押されないときには現状を維持する。次に、パターン変数ｉが４であるか否かを判断し（Ｓ１２）、４であるときには１にセットする（Ｓ１３）。
この処理は、パターン変数ｉが１、２、３、即ち、３種類のパターンで構成してあることを意味する。
以上の処理により、パターン変数ｉは押し釦９を押す毎に、順次、パターン０、１、２に変更する。
【００１３】
ＳＵＢ（Ａ）（図５（Ａ））は、図４に示すデータに基づいて、ランプ１０ａを点灯、消灯させる制御を行う。尚、図４に示すタイムｔ１１（ｉ）は点灯開始時間、タイムｔ１２（ｉ）は消灯開始時間、タイムｔ１３（ｉ）は点灯開始時間であり、これらのデータによって、１サイクルの周期が決定できる。尚、ｉはパターンを示す番号である。
【００１４】
そこで、先ず、タイマーＴに１を加算し（Ｓ２０）、タイマーＴがタイムｔ１１（ｉ）に等しいか否かを判断し（Ｓ２１）、等しいときにはランプ１０ａを点灯させる（Ｓ２２）。一方、タイマーＴがタイムｔ１１（ｉ）に等くないときには、タイマーＴがタイムｔ１２（ｉ）に等しいか否かを判断する（Ｓ２３）。そして、等しいときにはランプ１０ａを消灯させる（Ｓ２４）。
一方、タイマーＴがタイムｔ１２（ｉ）に等くないときには、タイマーＴがタイムｔ１３（ｉ）に等しいか否かを判断する（Ｓ２５）。そして、等しいときにはランプ１０ａを点灯させると共に、タイマーＴに−１をセットする（Ｓ２６）。即ち、ランプ１０ａが点灯、消灯、点灯の１サイクルを行う。
【００１５】
又、図５（Ｂ）に示すＳＵＢ（Ｂ）はランプ１０ｂの点灯、消灯を行い（Ｓ３０〜Ｓ３６）、図５（Ｃ）に示すＳＵＢ（Ｃ）はランプ１０ｃの点灯、消灯を行う制御フローであり（Ｓ４０〜Ｓ４６）、これらは、前記ＳＵＢ（Ａ）と同じであるので、説明を略す。
【００１６】
次に、図４に示す、タイムｔ１１（ｉ）、タイムｔ１２（ｉ）、タイムｔ１３（ｉ）の具体的なデータに基づく点灯、消灯パターンについて説明する。
（１）（パターン１）（パターン変数ｉ＝１）
このパターン１はランプ１０ａが点灯を維持するものであり、タイムｔ１１（１）＝０、タイムｔ１２（１）とタイムｔ１３（１）に無限大の数字をデータとする（図３参照）。
タイマーＴが０のときランプ１０ａは点灯し、タイムｔ１２（１）で消灯するが、このタイムｔ１２（１）は無限大であるので、ランプ１０ａは点灯を維持する。即ち、このパターンはランプ１０ａが点灯を維持するものである。
従って、タイムｔ２１（１）＝０、タイムｔ２２（１）とタイムｔ２３（１）に無限大の数字を、タイムｔ３１（１）＝０、タイムｔ３２（１）とタイムｔ３３（１）に無限大の数字をデータにすると、ランプ１０ｂ、ランプ１０ｃも同様に、点灯を維持するパターンである。
【００１７】
（２）（パターン２）（パターン変数ｉ＝２）
このパターンは、点灯と消灯を繰り返すものであり、例えば、タイムｔ１１（２）＝０、タイムｔ１２（２）に１、タイムｔ１３（２）に２をデータとする（図４参照）。
タイマーＴが０のときランプ１０ａは点灯し、タイムｔ１２（２）の「１」で消灯し、タイム１３（２）で、ランプ１０ａは点灯する。即ち、このパターンはランプ１０ａが点灯と消灯を繰り返すものである。
尚、タイムｔ２１（２）＝０、タイムｔ２２（２）＝１、タイムｔ２３（２）＝２、タイムｔ３１（２）＝０、タイムｔ３２（２）＝１、タイムｔ３３（２）＝２にすると、ランプ１０ｂ、ランプ１０ｃも同様に、点灯と消灯を繰り返す。
【００１８】
（３）（パターン３）（パターン変数ｉ＝３）
このパターンは、ランプ１０ａ、ランプ１０ｂ、ランプ１０ｃが、順次、点灯と消灯を繰り返すものであり、例えば、タイムｔ１１（３）＝０、タイムｔ１２（３）に１、タイムｔ１３（３）に３、タイムｔ２１（３）＝１、タイムｔ２２（３）＝２、タイムｔ２３（３）＝４、タイムｔ３１（３）＝２、タイムｔ３２（３）＝３、タイムｔ３３（３）＝５にすると、ランプ１０ａが点灯した後に（ランプ１０ｂ、ランプ１０ｃは消灯）、消灯すると、ランプ１０ｂが点灯する。
そして、ランプ１０ｂが消灯すると、次にはランプ１０ｃが点灯をするものである。即ち、順次、ランプ１０ａ、１０ｂ、１０ｃが点灯する構成である。
【００１９】
以上のように、制御回路には、ランプ１０ａ、ランプ１０ｂ、ランプ１０ｃに対する点灯、消灯時間をデータとして記憶してあり、切替釦９を介して簡便にパターンの変更ができる。即ち、このセーフティコーンは、種々の点灯、点滅の選択ができるので、情報標識として使用することができる。又、前記パターンは、データとして記憶しておけばよいので、簡便に、そのパターンの変更ができると共に、更に多くのパターンを記憶しておくことができる。
又、蓄電池３０にはソーラパネル７の起電力の他、商用電源で充電してもよいし、ランプ（ＬＥＤ等）１０ａ、１０ｂ、１０ｃの替りに液晶パネルの標識を使用してもよい。
以上のように、このセーフティコーンは、付設するランプの点灯、消灯のパターンによって、情報標識として多様性を持たせることができる。
尚、セーフティコーンは、前記の各部品を適宜選択して構成できることはいうまでもない。
【００２０】
【発明の効果】
請求項１のセーフティコーンは点灯体に付設のランプを拡大レンズを介して点灯するので、その光源を拡大できるので、視認の向上を図ることができる。
又、請求項２のセーフティコーンは、セーフティコーンを透明又は半透明の材質で製作し、且つ、セーフティコーンの内部を点灯する内部ランプを備えることによって、セーフティコーンの姿態を認識可能であるので、視認の向上を図ることができる。
請求項３のセーフティコーンは、点灯体に付設のランプを拡大レンズを介して点灯することによって、セーフティコーンの姿態を認識可能であると共に、ランプの拡大によって、視認性の向上を図ることができる
請求項４のセーフティコーンは、複数の点灯体を備え、点灯体に付設のランプを点灯する点灯方式を複数有しているので、情報標識として使用可能である。
【図面の簡単な説明】
【図１】（Ａ）はセーフティコーン本体の全体図、（Ｂ）は本体の断面図、（Ｃ）は外ランプの外形図と本体に取付けた状態の拡大断面図、（Ｄ）はセーフティコーンの頂部体の外形図である。
【図２】（Ａ）はセーフティコーン１の全体図、（Ｂ）は制御回路図である。
【図３】（Ａ）はランプの点灯消灯のメインフロー図、（Ｂ）はパターンを選択処理するパターン変数ｉを決定するフロー図である。
【図４】ランプ１０ａ、１０ｂ、１０ｃを点灯、消灯させる時間のデータ図とパターン図である。
【図５】（Ａ）はランプ１０ａの点灯、消灯のフロー図、（Ｂ）はランプ１０ｂの点灯、消灯のフロー図、（Ｃ）はランプ１０ｃの点灯、消灯のフロー図である。
【符号の説明】
１  セーフティコーン
１ａ  本体
１ｂ  底板
２、２ａ  色帯体
５（５ａ、５ｂ、５ｃ）  点灯体
７  ソーラパネル
８  電源スイッチ
９  切替釦
【図１】
2005068672.tif 000003
【図２】
2005068672.tif 000004
【図３】
2005068672.tif 000005
【図４】
2005068672.tif 000006
【図５】
2005068672.tif 000007